(57)【要約】【課題】様々な機器に適用できる多機能メーターの構造を提供する。【解決手段】ケーシング１は一端の縁部にカバー部１１が嵌合され、ケーシング１とカバー部１１との間に透明板１２が設置され、回路板２はケーシング１内に設置され外部機器と接続するための接続ユニットを有し、ＣＰＵ３は回路板２上に設置され、表示ユニット４は外部機器の使用状況の表示を行い、修正記憶ユニット５は各種の異なる機器の運転において生成される信号の検知および記憶を行い、駆動制御ユニット６は各種機器が必要とする信号変化を保存し、監視測定ユニット７は少なくとも一組の警告値を予め設定し警告値に達したとき警告信号を生成し、無線伝送ユニット８は無線制御器から発信される運転信号を受信することによって機器中の各種の異なるメーターを識別選択し、発光ユニット９はＤＩＰ型ＬＥＤから構成され、カバー部の二端および表示ユニットに対応しているメーターの構造。【選択図】  図２
0003115558.tif 000002
【実用新案登録請求の範囲】
【請求項１】
ケーシングと、回路板と、ＣＰＵと、表示ユニットと、修正記憶ユニットと、駆動制御ユニットと、監視測定ユニットと、無線伝送ユニットと、発光ユニットとからなるメーターの構造であって、
前記ケーシングは、一端の縁部にカバー部が嵌合され、前記ケーシングとカバー部との間に透明板が設置されており、
前記回路板は、前記ケーシング内に設置され、前記回路板は外部機器と接続するための接続ユニットを有し、
前記ＣＰＵは、前記回路板上に設置され、伝送および各ユニットと機器との間の信号伝送制御の中枢となっており、
前記表示ユニットは、前記ＣＰＵと接続され、外部機器の使用状況の表示を行い、
前記修正記憶ユニットは、前記ＣＰＵと接続され、各種の異なる機器の運転において生成される信号の検知および記憶を行い、
前記駆動制御ユニットは、前記ＣＰＵと接続され、各種機器が必要とする信号変化を保存し、
前記監視測定ユニットは、前記ＣＰＵと接続され、少なくとも一組の警告値を予め設定し、警告値に達したとき、警告信号を生成し、
前記無線伝送ユニットは、前記ＣＰＵと接続され、無線制御器から発信される運転信号を受信することによって、機器中の各種の異なるメーターを識別選択し、
前記発光ユニットは、前記ＣＰＵと接続され、前記発光ユニットは一つ以上のＤＩＰ型ＬＥＤから構成され、前記カバー部の二端および前記表示ユニットに対応していることを特徴とするメーターの構造。
【請求項２】
前記駆動制御ユニットは、少なくとも一つのセンサーを有することを特徴とする請求項１記載のメーターの構造。  
【請求項３】
前記監視測定ユニットは、表示ユニットに設置された制御ボタンを有することを特徴とする請求項１記載のメーターの構造。
【考案の詳細な説明】
【技術分野】
【０００１】
本考案はメーターの構造に関し、特に様々な機器に適用できる多機能メーターの構造に関する。
【背景技術】
【０００２】
日常生活において、体温計、スピードメーターあるいはタコメーターなどの各種メーターが使用されている。しかし、例えばメーターが不正確であったり、測定範囲が狭すぎたり、使用上不便であったりする場合、さらにメーターを設置してデーターを読取る必要がある。しかし上述の状況の下では、表示されたデータと実際のデータとに誤差が生じたり、判読できなかったりする状況が発生するのは避けられず、この状況は、メーターの監視制御を行う駆動回路または制御プログラムと監視制御される機器設備とに互換性がなかったり、メーターの信号源が暗号化技術によって信号判読不能になったりしたために発生するものである、自動車用のメーターを例にして説明を行う。
【０００３】
例えば、自動車に元々設置されていた純正のスピードメーターの速度範囲が０〜１８０ｋｍ／ｈ、タコメーターの範囲が０〜８０００ｒｐｍで、使用者が速度範囲が０〜２２０ｋｍ／ｈ、タコメーターの範囲が０〜９０００ｒｐｍのメータをさらに設置する場合、さらに設置されたタコメーターが示す数値と自動車に元々設置されていた純正のタコメーターが示す数値とには誤差が生じる。従って、メーターの監視測定を行う検知プログラムや駆動回路は一部の車種にしか使用できず、異なる信号規則の車種に使用した場合、誤差が発生したり、判読不能になったりする状況が発生する。
【０００４】
現在の電子式メーターの指針は空芯コイル（AIR CORE）およびステッパモーター（STEPPER MOTOR）を有し、その駆動方式はプログラム制御やトランジスタに駆動回路を加えた方式によって行われるが、メーターの種類は多く、それぞれのメーターにはそれぞれの異なる部品および駆動回路を使用する必要があるので、製造者や販売者は膨大な部品や製品の在庫を抱えることになり、同時に製造時間も長くかかってしまう。
【０００５】
また、従来技術によるメーターの使用方式の一つに、各種センサーの信号を制御ボックスに伝送し、集合した後、暗号化パケットの方式によってメーターに伝送するものがある。メーターにはデーター処理ＩＣおよび信号伝送ポートが内臓されており、データはカスケード接続の方式によってメーターに伝送され、それぞれのメーターがパケットのデーター復号を行い、専属のエンコードに基づいて個別にメーターの動作を執行する。しかし、このような使用方式を実際に運用する場合には大きな欠点が存在する。それは制御ボックスがない場合にはメーターを作動させることができないことである。つまり、メーターを作動させるには制御ボックスを購入する必要があり、消費者に対して大きな負担となっている。
【０００６】
また、従来技術によるメーターの照明方式には背面からの照明と側面からの照明とに分類でき、使用される光源はタングステン電球、冷陰極管（CCFL）、エレクトロルミネンス（EL）および有機ＬＥＤなど種類が多く、如何なる照明方式および材質を使用する場合においても、最終的な目的は明るく均一な照明効果を得ることである。しかし、前述の光源によって光を照射するとき、メーターパネルと対応する場所に明るい発光点が生成されるだけで、メーターパネル全体を均一に明るくすることはできない。また、従来技術によるメーターにおいては環状のカバー部によってパネルを圧着しているが、それ以上の機能はなく、変化性が乏しい。
【０００７】
また、従来技術による監視測定メーターはすべて特定の用途のためのみに製造され、複数の用途を持たせることはできない。従って、メーター生産は異なる機能や種類に基づいてそれぞれ単一の規格のメーターが大量に生産される。即ち、特定の用途に基づいて専用のメーターが生産されているのである。この生産方法では単一種類のメーターの大量生産が可能であるが、メーターの種類は多く、生産者には材料在庫のコストが掛かってしまい、生産コストも高くなる。従って、従来技術によるメーターは実際の需要を満たしていない。
【特許文献１】特開２０００−２５８４４３号公報
【考案の開示】
【考案が解決しようとする課題】
【０００８】
本考案の第１の目的は、ＣＰＵ、表示ユニット、修正記憶ユニット、駆動制御ユニット、監視測定ユニットおよび無線伝送ユニットを備えた設計によって、各種機器設備に適用できるメーターの構造を提供することにある。
本考案の第２の目的は、各種の異なる機器を運転する上で生成される信号のプログラムを検知し、自動的に学習と修正を行うメーターの構造を提供することにある。
本考案の第３の目的は、複数の異なる機能を一つのメーターに整合した多機能のメーターの構造を提供することにある。
本考案の第４の目的は、多機能の監視測定機能を有するメーターに各専属の信号を入力した後、スイッチを調整選択し、対応した警告動作を作動するメーターの構造を提供することにある。
本考案の第５の目的は、無線制御装置によって異なるメーターの種類を識別でき、さらに個別に操作する機能を有するメーターの構造を提供することにある。
本考案の第６の目的は、メーターの照明度を高め、均一な照明を行うメーターの構造を提供することにある。
本考案の第７の目的は、メーターのカバー部の導光照明度を高めるメーターの構造を提供することにある。
【課題を解決するための手段】
【０００９】
本考案の請求項１に記載のメーターの構造は、ケーシングと、回路板と、ＣＰＵと、表示ユニットと、修正記憶ユニットと、駆動制御ユニットと、監視測定ユニットと、無線伝送ユニットと、発光ユニットとからなるメーターの構造であって、前記ケーシングは、一端の縁部にカバー部が嵌合され、前記ケーシングとカバー部との間に透明板が設置されており、前記回路板は、前記ケーシング内に設置され、前記回路板は外部機器と接続するための接続ユニットを有し、前記ＣＰＵは、前記回路板上に設置され、伝送および各ユニットと機器との間の信号伝送制御の中枢となっており、前記表示ユニットは、前記ＣＰＵと接続され、外部機器の使用状況の表示を行い、前記修正記憶ユニットは、前記ＣＰＵと接続され、各種の異なる機器の運転において生成される信号の検知および記憶を行い、前記駆動制御ユニットは、前記ＣＰＵと接続され、各種機器が必要とする信号変化を保存し、前記監視測定ユニットは、前記ＣＰＵと接続され、少なくとも一組の警告値を予め設定し、警告値に達したとき、警告信号を生成し、前記無線伝送ユニットは、前記ＣＰＵと接続され、無線制御器から発信される運転信号を受信することによって、機器中の各種の異なるメーターを識別選択し、前記発光ユニットは、前記ＣＰＵと接続され、前記発光ユニットは一つ以上のＤＩＰ型ＬＥＤから構成され、前記カバー部の二端および前記表示ユニットに対応していることを特徴とする。
【００１０】
請求項２に記載のメーターの構造は、請求項１の場合において、
前記駆動制御ユニットは、少なくとも一つのセンサーを有することを特徴とする。
【００１１】
請求項３に記載のメーターの構造は、請求項１の場合において、
前記監視測定ユニットは、表示ユニットに設置された制御ボタンを有することを特徴とする。
【考案の効果】
【００１２】
本考案によるメーターの構造は、ケーシング、回路板、ＣＰＵ、表示ユニット、修正記憶ユニット、駆動制御ユニット、監視測定ユニット、無線伝送ユニットおよび発光ユニットから構成されることよって各種機器設備に適用でき、結果としてコストを下げることができる。
【考案を実施するための最良の形態】
【００１３】
図１は本考案によるメーターの構造を示す斜視図である。図２は本考案によるメーターのアーキテクチャを示すブロック図である。図に示すように、本実施形態は、ケーシング１、回路板２、ＣＰＵ３、表示ユニット４、修正記憶ユニット５、駆動制御ユニット６、監視測定ユニット７、無線伝送ユニット８および発光ユニット９から構成される各種機器設備に適用できるメーターの構造である。
【００１４】
ケーシング１は、一端の縁部にカバー部１１が嵌合され、ケーシング１とカバー部１１との間に透明板１２が設置されている。
【００１５】
回路板２は、ケーシング１内に設置され、回路板２は外部機器と接続するためにケーシング１外部に露出した接続ユニット２１を有している。
【００１６】
ＣＰＵ３は、回路板２上に設置され、伝送および各ユニットと機器との間の信号伝送制御の中枢となっている。
【００１７】
表示ユニット４は、ＣＰＵ３と接続され、外部機器の使用状況の表示を行う。
【００１８】
修正記憶ユニット５は、ＣＰＵ３と接続され、各種の異なる機器の運転において生成される信号の検知および記憶を行い、修正記憶ユニット５は制御ボタン５１を有する。
【００１９】
駆動制御ユニット６は、ＣＰＵ３と接続され、各種機器が必要とする信号変化を保存し、駆動制御ユニット６は少なくとも一つのセンサー６１を有し、センサー６１の数量は製造されるメーターの種類に基づく。
【００２０】
監視測定ユニット７は、ＣＰＵ３と接続され、少なくとも一組の警告値を予め設定し、警告値に達したとき、警告信号を生成し、監視測定ユニット７は表示ユニット４に設置された制御ボタン７１を有する。
【００２１】
無線伝送ユニット８は、ＣＰＵ３と接続され、無線制御器８１から発信される運転信号を受信することによって、機器中の各種の異なるメーターを識別選択する。
【００２２】
発光ユニット９は、ＣＰＵ３と接続され、発光ユニット９は一つ以上のＤＩＰ型ＬＥＤ９１から構成され、カバー部１１の二端および表示ユニット４に対応している。
【００２３】
以上の構造によって、全く新しいメーターの構造が構成されている。
【００２４】
図３は本考案の第１の実施形態を示すブロック図である。図に示すように、本実施形態と外部機器Ａとを接続した後、修正記憶ユニット５を運用して異なる機器に対して設定を行いたいとき、信号検知プログラムに乗算、除算、加算または減算を使用する方法によって読取った任意のある一点（またはある特定の一点）の信号を取り入れ、さらにこの信号を基準点とし、その他の信号を等比例に乗算、除算、加算または減算の計算を行った後に再び表示すると、信号ソースが変化したとき、信号はそれに従い等比例に変化して出力される。このように、信号ソースが如何なる形式（パルス数、電圧、電気抵抗等）であっても、比較修正後、正確な形式で表示できる。例を下記に示す。
【００２５】
一台の自動車の時速が１００ｋｍ／ｈのとき、パルス数が１０Ｈｚである場合、時速１０ｋｍ／ｈでは１Ｈｚとなり、これは等比例の規則であり、信号の比較修正を行うとき、任意の一点またはある特定点を基準点とし、制御ボタン５１を押してＣＰＵ３を通じてプログラムにこの信号ソースと表示数値との相対関係を記憶させ、仮に修正後、正確な数値を表示したとき、表示設定は完了する。仮に誤差があるとき、監視制御メーターに正確な数値が表示されるまで微調整を行い、このように、監視制御機器のすべての信号数値はさらに完全に詳細に表示される。修正方法の例を下記に示す。
【００２６】
使用者が自動車にスピードメーターを取り付けたが元々設置されていた純正のスピードメーターと誤差があるとき、修正を行う必要がある。
【００２７】
使用者が道路を走行したり、修理工場でジャッキで車体を持ち上げてタイヤを空転させたりしてスピード信号を発生させ、元々設置されていた純正のスピードメーターを基準として、時速１００ｋｍ／ｈまで加速させたとき、制御ボタン５１を押して修正記憶ユニット５を起動し、ＣＰＵ３を通じてプログラムの比較を行った後、仮に前述のプログラムの修正記憶ユニットを採用している監視制御メーターが元々設置されていた純正のスピードメーターと同一の数値を表示した場合は設定が完了したことを表す。仮に異なる数値（例えば１２０ｋｍ／ｈまたは８０ｋｍ／ｈ）を表示した場合、再度増加または減少の調整をし、監視測定メーターが１００ｋｍ／ｈを示したとき、修正が完了する。以後、監視測定メーターはすでに検知機器の信号出力の形式を学習しており、正確な数値に変換して使用者に供給し、プログラム自動比較修正によって、監視制御メーターは各種機器またはメーター設備に適用させることができ、この修正記憶ユニット５はプログラムの制御と学習によるさらに正確または範囲の大きな監視測定数値によって、それぞれの使用者の異なる需要を満たし、それぞれの監視制御メーターまたは機器に合わせて製造することによる高い生産コストを大幅に減少させることができる。
【００２８】
図４は本考案の第２の実施形態を示す平面図である。図に示すように、本実施形態の駆動制御ユニット６を運用するとき、駆動制御ユニット６内に必要なメーターの信号変化を入力してデータストレージを形成し、さらに、駆動ＩＣ６２を製作し、駆動制御ユニット６の駆動回路６３の電気抵抗、コンデンサ、ボルテージレギュレータ、ダイオード、タンタラム、セラミックコンデンサなどの部品はすべて同一の回路板上に設置する。センサー６１の信号入力端は連結器コネクタ６１１とすることができ、駆動ＩＣ６２が設定した全てのデータに基づいて、センサー６１の連結器コネクタ６１１を電圧信号、温度信号および圧力検知信号などの異なる信号ピンと定義する。仮に電圧計、水温計または油温計として使用したい場合、外部機器Ａの電圧、水温センサーまたは油温センサーを電圧、水温または油温の信号のピンに接続すれば、同一の駆動ＩＣを使用して駆動でき、如何なる種類のメーターでも、対応するセンサーのケーブルを接続すれば、駆動ＩＣがどのメーターの信号が導通されているのを検知し、どの種類のメーターを設置しているか判断することができ、それに対応した動作を行う。
【００２９】
図５は本考案の第３の実施形態を示す正面図である。図に示すように、本実施形態の監視測定ユニット７はＣＰＵ３の設定に基づいて、水温計、油圧計および電圧計上に運用でき、監視制御ユニット７を実際に運用するとき、制御ボタン７１で必要な警告温度、警告圧力、警告電圧および各設定値の警告信号表示点を設定でき、このようにして、入力される専属信号および警告制御ボタンの選択に基づいて、メーターに使用者の必要に応じて対応した動作をさせることができる。
【００３０】
図６は本考案の第４の実施形態を示す正面図である。図に示すように、本実施形態の無線伝送ユニット８を機器内の各種の異なるメーターに運用するとき、無線伝送ユニット８を通じてＣＰＵ３が各メーターのデーターをパケットし、さらに個別に定義する。例を下記に示す。
【００３１】
データパケット１：水温計Ｂと定義する。
データパケット２：油温計Ｃと定義する。
データパケット３：電圧計Ｄと定義する。
さらに、無線制御器８１の同一のボタン８１１を操作ボタンとする。例えば一回押すとメーターはスタンバイ状態となる。二回押すとデーターパケット１が開いて水温計が設定状態となる（ランプ点滅またはブザーが鳴る）。三回押すとデーターパケット２が開いて油温計が設定状態となる（ランプ点滅またはブザーが鳴る）。四回押すとデータパケット３が開いて電圧計が設定状態となる（ランプ点滅またはブザーが鳴る）。上述の方法によってメーターを選択した後、無線制御器のその他のボタンによって操作を行う。
【００３２】
図７は本考案の第５の実施形態を示す断面図である。図に示すように、本実施形態を運用するとき、９０度角のＤＩＰ型ＬＥＤ９１および光源拡散効果を有する導光片９２によって、ＬＥＤ９１の光を前方または両側に拡散でき、光がメーターのケーシング１周囲および導光板９２に照射された後、反射および拡散が行われ、光を均一に表示ユニット上に導光でき、メーターは非常に突出した照明効果を有することができ、高い照度と均一度とを兼ね備える。
【００３３】
図８は本考案の第６の実施形態を示す斜視図である。図に示すように、本実施形態のカバー部１１は導光材料からなり、このカバー部１１の二端、ある一箇所または一箇所以上の凹部に一般の発光体またはＤＩＰ型ＬＥＤ９１が光源として設置されており、この光源が放出する光線は環状のカバー部１１に沿って前方に延伸し、表示ユニット４の照明となる。また、メーター内に電子音制御回路（図示せず）を加え、この電子音制御回路の出力端を環状のカバー部の凹部に設置された光源に接続し、光源にメーター周辺の音楽、音声またはエンジン音の大きさに伴って明暗が変化する効果を与えることができる。
【００３４】
以上のように、本考案によるメーターの構造は、ＣＰＵ、表示ユニット、修正記憶ユニット、駆動制御ユニット、監視測定ユニットおよび無線伝送ユニットによってメーターに多種の機器設備に適用できる機能を備えたものであり、進歩性と実用性を備え、使用者の需要を満たすことができるものである。
【００３５】
上述の内容は、ただ本考案の好適な実施形態を示すものであり、本考案の実施範囲を制限するものではなく、故に、本考案の請求の範囲および明細書の内容の簡単な変更と修飾は全て本考案の範囲に含まれる。
【図面の簡単な説明】
【００３６】
【図１】本考案によるメーターの構造を示す斜視図である。
【図２】本考案によるメーターのアーキテクチャを示すブロック図である。
【図３】本考案の第１の実施形態を示すブロック図である。
【図４】本考案の第２の実施形態を示す平面図である。
【図５】本考案の第３の実施形態を示す正面図である。
【図６】本考案の第４の実施形態を示す正面図である。
【図７】本考案の第５の実施形態を示す断面図である。
【図８】本考案の第６の実施形態を示す斜視図である。
【符号の説明】
【００３７】
１      ケーシング
１１    カバー部
１２    透明板
２      回路板
２１    接続ユニット
３      ＣＰＵ
４      表示ユニット
５      修正記憶ユニット
５１    制御ボタン
６      駆動制御ユニット
６１    センサー
６１１  連結器コネクタ
６２    駆動ＩＣ
６３    駆動回路
７      監視測定ユニット
７１    制御ボタン
８      無線伝送ユニット
８１    無線制御器
８１１  ボタン
９      発光ユニット
９１    ＬＥＤ
９２    導光片
Ａ      機器
Ｂ      水温計
Ｃ      油温計
Ｄ      電圧計
【図１】
0003115558.tif 000003
【図２】
0003115558.tif 000004
【図３】
0003115558.tif 000005
【図４】
0003115558.tif 000006
【図５】
0003115558.tif 000007
【図６】
0003115558.tif 000008
【図７】
0003115558.tif 000009
【図８】
0003115558.tif 000010